(57)【要約】【課題】撮像素子に対してストレスが生じることなく、撮像素子を本体ユニットに固定すると共に電気基板に固定することのできる撮像装置を提供することである。【解決手段】複数のリードを有して画像を電気信号に変換する撮像素子１８が撮像素子支持板１９に固定支持され、この撮像素子支持板１９は前板ユニット１０に固定される。また、上記撮像素子１８のリードと電気的導通を行うため、そのリードが挿入される挿入孔２０ｃを有する電気基板２０が、上記撮像素子支持板１９と平行に配置されている。そして、上記撮像素子１８のリード１８ａと電気基板２０の挿入孔２０ｃとの相対位置は、電気基板２０に形成された長穴形状の開口部２０ａ及び切り欠き２０ｂと、前板ユニット１０に形成されたボスとに嵌合して、ネジ３ａが締結されることにより調整される。【選択図】      図１
2005175924.tif 000002
【特許請求の範囲】
【請求項１】
リードを有し、画像を電気信号に変換する撮像媒体と、
上記撮像媒体を固定支持する支持部材と、
上記支持部材を固定する固定部材と、
上記支持部材と平行に配置されて、上記リードと電気的導通を行うため上記リードが挿入される挿入孔を有する電気基板と、
上記リードと上記電気基板の挿入孔との相対位置を調整するための調整手段と、
を具備することを特徴とする撮像装置。
【請求項２】
上記リードは、複数のリードから成ることを特徴とする請求項１に記載の撮像装置。
【請求項３】
上記調整手段は、上記電気基板に形成された長穴と、上記固定部材に設けられて上記長穴と交差する方向に形成された長溝と、上記長穴と上記長溝とに嵌合して上記電気基板を上記固定部材に固定する締結部材と、を有することを特徴とする請求項１若しくは２に記載の撮像装置。
【請求項４】
上記挿入孔は所定の第１の方向を長手方向として形成された長孔から成り、上記固定部材は上記第１の方向と交差する第２の方向を長手方向として形成された長溝を有し、
上記調整手段は、上記挿入孔と上記リードとの相対位置を調整する第１の調整手段と、上記長溝と嵌合して上記電気基板を上記固定部材に固定する第２の調整手段と、から成ることを特徴とする請求項１に記載の撮像装置。
【請求項５】
上記挿入孔は所定の第１の方向を長手方向として形成された長孔から成り、上記固定部材は上記第１の方向と交差する第２の方向を長手方向として形成された長溝を有し、
上記調整手段は、上記挿入孔と上記リードとの相対位置を調整する第１の調整手段と、上記長溝と嵌合して上記電気基板を上記固定部材に固定する第２の調整手段と、から成ることを特徴とする請求項２に記載の撮像装置。
【請求項６】
上記第２の調整手段は、上記長溝と、上記長溝と嵌合して上記電気基板を上記固定部材に固定する締結部材で構成されることをを特徴とする請求項４若しくは５に記載の撮像装置。
【請求項７】
上記長孔は上記撮像媒体の上記複数のリードの配列方向とは直交する方向であることを特徴とする請求項５に記載の撮像装置。
【請求項８】
リードを有し、画像を電気信号に変換する撮像媒体と、
上記撮像媒体と平行に配置されて、上記リードと電気的導通を行うため上記リードが挿入される挿入孔を有する電気基板と、
上記電気基板を固定支持する固定部材と、
上記電気基板を上記固定部材に固定するに際し、上記リードと上記電気基板の挿入孔との相対位置を調整するための調整手段と、
を具備することを特徴とする撮像装置。
【請求項９】
上記リードは、複数のリードから成ることを特徴とする請求項８に記載の撮像装置。
【請求項１０】
上記調整手段は、上記電気基板に形成された長穴と、上記固定部材に設けられて上記長穴と交差する方向に形成された長溝と、上記長穴と上記長溝とに嵌合して上記電気基板を上記固定部材に固定する締結部材と、を有することを特徴とする請求項８若しくは９に記載の撮像装置。
【請求項１１】
上記挿入孔は所定の第１の方向を長手方向として形成された長孔から成り、上記固定部材は上記第１の方向と交差する第２の方向を長手方向として形成された長溝を有し、
上記調整手段は、上記挿入孔と上記リードとの相対位置を調整する第１の調整手段と、上記長溝と嵌合して上記電気基板を上記固定部材に固定する第２の調整手段と、から成ることを特徴とする請求項８に記載の撮像装置。
【請求項１２】
上記挿入孔は所定の第１の方向を長手方向として形成された長孔から成り、上記固定部材は上記第１の方向と交差する第２の方向を長手方向として形成された長溝を有し、
上記調整手段は、上記挿入孔と上記リードとの相対位置を調整する第１の調整手段と、上記長溝と嵌合して上記電気基板を上記固定部材に固定する第２の調整手段と、から成ることを特徴とする請求項９に記載の撮像装置。
【請求項１３】
上記第２の調整手段は、上記長溝と、上記長溝と嵌合して上記電気基板を上記固定部材に固定する締結部材で構成されることをを特徴とする請求項１１若しくは１２に記載の撮像装置。
【請求項１４】
上記長孔は上記撮像媒体の上記複数のリードの配列方向とは直交する方向であることを特徴とする請求項１２に記載の撮像装置。
【発明の詳細な説明】
【技術分野】
【０００１】
この発明は、例えば電子カメラ等の撮像装置に関し、より詳細には、ＣＣＤ(Charge Coupled Device)等の撮像素子の固定部材への取り付けを工夫した撮像装置に関するものである。
【背景技術】
【０００２】
従来のデジタルカメラに於いては、撮像素子がこれを支持する撮像素子支持板に、接着剤により固着されている。そして、この撮像素子が固着された撮像素子支持板は、ネジによってカメラ本体の中心部である前板ユニットに固定されている。
【０００３】
更に、上記撮像素子のピン（リード）は、撮像素子支持板に形成されている開口部を介して、撮像系の電気回路等が実装された電気基板に、半田付けによって取り付けられている。また、この電気基板も上記前板ユニットに、ネジによって固定されている。
【発明の開示】
【発明が解決しようとする課題】
【０００４】
上述したように、従来は、撮像素子が撮像素子支持板を介して前板ユニットに固定された後に、電気基板に対してリード部の接続を行っていた。すると、撮像素子の本体部分が位置決め（固定）された後にピンの接続を行うため、電気基板の位置がずれると、撮像素子のピンにストレスがかかってしまうという課題を有していた。
【０００５】
この発明は、上記課題に鑑みてなされたもので、撮像素子に対してストレスが生じることなく、撮像素子を本体ユニットに固定すると共に電気基板に固定することのできる撮像装置を提供することを目的とする。
【課題を解決するための手段】
【０００６】
すなわち請求項１に記載の発明は、リードを有し、画像を電気信号に変換する撮像媒体と、上記撮像媒体を固定支持する支持部材と、上記支持部材を固定する固定部材と、上記支持部材と平行に配置されて、上記リードと電気的導通を行うため上記リードが挿入される挿入孔を有する電気基板と、上記リードと上記電気基板の挿入孔との相対位置を調整するための調整手段と、を具備することを特徴とする。
【０００７】
請求項２に記載の発明は、請求項１に記載の発明に於いて、上記リードは、複数のリードから成ることを特徴とする。
【０００８】
請求項３に記載の発明は、請求項１若しくは２に記載の発明に於いて、上記調整手段は、上記電気基板に形成された長穴と、上記固定部材に設けられて上記長穴と交差する方向に形成された長溝と、上記長穴と上記長溝とに嵌合して上記電気基板を上記固定部材に固定する締結部材と、を有することを特徴とする。
【０００９】
請求項４に記載の発明は、請求項１に記載の発明に於いて、上記挿入孔は所定の第１の方向を長手方向として形成された長孔から成り、上記固定部材は上記第１の方向と交差する第２の方向を長手方向として形成された長溝を有し、上記調整手段は、上記挿入孔と上記リードとの相対位置を調整する第１の調整手段と、上記長溝と嵌合して上記電気基板を上記固定部材に固定する第２の調整手段と、から成ることを特徴とする。
【００１０】
請求項５に記載の発明は、請求項２に記載の発明に於いて、上記挿入孔は所定の第１の方向を長手方向として形成された長孔から成り、上記固定部材は上記第１の方向と交差する第２の方向を長手方向として形成された長溝を有し、上記調整手段は、上記挿入孔と上記リードとの相対位置を調整する第１の調整手段と、上記長溝と嵌合して上記電気基板を上記固定部材に固定する第２の調整手段と、から成ることを特徴とする。
【００１１】
請求項６に記載の発明は、請求項４若しくは５に記載の発明に於いて、上記第２の調整手段は、上記長溝と、上記長溝と嵌合して上記電気基板を上記固定部材に固定する締結部材で構成されることをを特徴とする。
【００１２】
請求項７に記載の発明は、請求項５に記載の発明に於いて、上記長孔は上記撮像媒体の上記複数のリードの配列方向とは直交する方向であることを特徴とする。
【００１３】
請求項８に記載の発明は、リードを有し、画像を電気信号に変換する撮像媒体と、上記撮像媒体と平行に配置されて、上記リードと電気的導通を行うため上記リードが挿入される挿入孔を有する電気基板と、上記電気基板を固定支持する固定部材と、上記電気基板を上記固定部材に固定するに際し、上記リードと上記電気基板の挿入孔との相対位置を調整するための調整手段と、を具備することを特徴とする。
【００１４】
請求項９に記載の発明は、請求項８に記載の発明に於いて、上記リードは、複数のリードから成ることを特徴とする。
【００１５】
請求項１０に記載の発明は、請求項８若しくは９に記載の発明に於いて、上記調整手段は、上記電気基板に形成された長穴と、上記固定部材に設けられて上記長穴と交差する方向に形成された長溝と、上記長穴と上記長溝とに嵌合して上記電気基板を上記固定部材に固定する締結部材と、を有することを特徴とする。
【００１６】
請求項１１に記載の発明は、請求項８に記載の発明に於いて、上記挿入孔は所定の第１の方向を長手方向として形成された長孔から成り、上記固定部材は上記第１の方向と交差する第２の方向を長手方向として形成された長溝を有し、上記調整手段は、上記挿入孔と上記リードとの相対位置を調整する第１の調整手段と、上記長溝と嵌合して上記電気基板を上記固定部材に固定する第２の調整手段と、から成ることを特徴とする。
【００１７】
請求項１２に記載の発明は、請求項９に記載の発明に於いて、上記挿入孔は所定の第１の方向を長手方向として形成された長孔から成り、上記固定部材は上記第１の方向と交差する第２の方向を長手方向として形成された長溝を有し、上記調整手段は、上記挿入孔と上記リードとの相対位置を調整する第１の調整手段と、上記長溝と嵌合して上記電気基板を上記固定部材に固定する第２の調整手段と、から成ることを特徴とする。
【００１８】
請求項１３に記載の発明は、請求項１１若しくは１２に記載の発明に於いて、上記第２の調整手段は、上記長溝と、上記長溝と嵌合して上記電気基板を上記固定部材に固定する締結部材で構成されることをを特徴とする。
【００１９】
請求項１４に記載の発明は、請求項１２に記載の発明に於いて、上記長孔は上記撮像媒体の上記複数のリードの配列方向とは直交する方向であることを特徴とする。
【発明の効果】
【００２０】
この発明によれば、撮像素子に対してストレスが生じることなく、撮像素子を本体ユニットに固定すると共に電気基板に固定することのできる撮像装置を提供することができる。
【発明を実施するための最良の形態】
【００２１】
以下、図面を参照して、この発明の実施形態を説明する。
【００２２】
（第１の実施形態）
図１は、この発明の第１実施形態に係る撮像装置が適用されたデジタルカメラの撮像ユニットを分解して示す要部分解斜視図である。
【００２３】
尚、ここでは、一眼レフレックス方式のデジタルカメラを想定している。
【００２４】
図１に示されるように、カメラの前板ユニット１０の光軸方向に延出された４本の支柱により規制される空間内には、当該前板ユニット１０の背面側より、ミラーユニット１１が挿入される。そして、このミラーユニット１１の図示されないネジ孔に、前板ユニット１０の前面側から開口部１０ａを介して挿入されたネジ１ａが螺合される。これによって、固定部材である前板ユニット１０にミラーユニット１１が固定される。
【００２５】
このミラーユニット１１の側面部には、反射・測光ユニット１２が固定されており、更にミラーユニット１１の下面部にはＡＦユニット１３が固定されている。
【００２６】
そして、ミラーユニット４の背面側に設けられた凸部１１ａ、１１ｂには、シャッタ地板保護シート１４の開口部１４ａ、１４ｂが位置合わせされる。上記シャッタ地板保護シート１４を挟んで、シャッタユニット１５の後面側から、開口部１５ａを介して挿入されたネジ１ａは、ミラーユニット１１のネジ孔１１ｃに螺合される。これにより、シャッタユニット１５は、シャッタ地板保護シート１４を挟んで、ミラーユニット１１に固定される。
【００２７】
上記シャッタ地板保護シート１４は、被写体光束の必要光束を決めるアパーチャとしてのマスクとしての機能を主に奏するものであるが、不必要な太陽光からシャッタ地板を保護する保護機能も兼ね備えている。
【００２８】
シャッタユニット１５には、略円形状に溝部１５ｂが設けられている。この溝部１５ｂには、防塵ユニット１７が、その一部をなす防塵フィルタ（図示せず）が位置合わせされた形で配設される。上記溝部１５ｂの径は、防塵フィルタの径と略一致するので、両者は略気密的に嵌合する。かかる構成によっても、フィルタ面に付着するゴミや塵埃等を抑制している。
【００２９】
そして、撮像素子（ＣＣＤ）１８と撮像素子支持板（支持板）１９とは、当該撮像素子１８の電極が撮像素子支持板１９の開口部１９ｄより延出された形で接着剤により固着される。
【００３０】
上記撮像素子１８と撮像素子支持板１９の両者は、撮像素子１８の長手方向が防塵ユニット１７の開口部１７ｂにより位置規制された形で防塵ユニット１７に背面側より挿入される。そして、撮像素子支持板１９の背面側より、開口部１９ｂを介して挿入されたネジ２ａが、防塵ユニット１７のネジ孔１７ａに螺合される。これにより、防塵ユニット１７に、撮像素子支持板１９が固定される。
【００３１】
このとき、撮像素子支持板１９の背面側より、開口部１９ａを介して挿入されたネジ２ｂは、前板ユニット１０のネジ孔１０ｂに螺合され、撮像素子支持板１９の開口部１９ｃは、前板ユニット１０の凸部１０ｄに嵌合される。これにより、撮像素子支持板１９は、前板ユニット１０に固定される。
【００３２】
電気基板２０には、長穴形状である開口部２０ａと、切り欠き２０ｂ、２０ｄと、撮像素子１８のリード（ピン）に対応した挿入孔２０ｃが形成されている。この電気基板２０は、上記挿入孔２０ｃより撮像素子１８のリード（ピン）が延出されながら、背面側から挿入される。そして、電気基板２０の背面側より、開口部２０ａ及び切り欠き２０ｂを介して挿入されたネジ３ａが、前板ユニット１０のネジ孔１０ｃ及び前板ユニット１０の腕部に螺合される。
【００３３】
こうして、前板ユニット１０には、電気基板２０が、ミラーユニット１１、シャッタ地板保護シート１４、シャッタユニット１５、防塵ユニット１７、撮像素子１８、撮像素子支持板１９を少なくとも間に介在させた形で固定される。この電気基板２０には、図示されない画像信号処理回路やワークメモリ等から成る撮像系の電気回路が実装されているが、従来のデジタルカメラ等に於いて適用される一般的なものであることから、これ以上の詳細な説明は省略する。
【００３４】
尚、図中に示される符号Ａ１、Ａ２、Ａ３、Ｂ１、Ｂ２、Ｂ３は、ネジ等によってそれぞれ同一の符号の部分が嵌合することを表している。
【００３５】
図２は、上述した電気基板２０を背面側から見た図である。
【００３６】
本実施形態に於いては、図示されないネジ孔と対応する長穴形状の２つの開口部２０ａと、切り欠き２０ｂが、電気基板２０の所定箇所に形成されている。更に、この電気基板２０には、例えばその中央部分に、上述した撮像素子１８のリードが挿入されるべく、複数の挿入孔２０ｃが並設されている。また、電気基板２０には、位置合わせ用の切り欠き２０ｄと、図示されない他の部品との干渉を防止するための逃げ穴２０ｅが形成されている。
【００３７】
図３は撮像素子支持板１９及び電気基板２０をネジ３ａによって固定するべくボスの構造を示すもので、（ａ）は上面図、（ｂ）は側断面図、（ｃ）は外観斜視図である。
【００３８】
図３に於いて、ボス２２は長溝として前板ユニット１０の腕部の先端部分に形成されるものであり、図１に於けるネジ孔１０ｃに相当する。この場合、図１に於いて、符号Ｂ１、Ｂ２、Ｂ３で示される腕部の先端部分に、ボス２２が形成されているものとする。
【００３９】
ボス２２は、例えばダイキャストやモールドにより構成されるもので、上部にネジを挿入するための長穴２２ａが形成されている。そして、本実施形態に於いては、例えば、図３には示されないネジ３ａをセルフタップネジとして、このセルフタップネジにより、ボス２２はネジ立てされるようになっている。
【００４０】
図４は、上述した撮像素子（ＣＣＤ）１８の構造を示したもので、（ａ）は上面側から見た外観斜視図、（ｂ）は下面側から見た外観斜視図である。
【００４１】
ＣＣＤ１８の側面部には、複数のピン、本実施形態に於いては片側１６本で、合わせて３２本のリード１８ａが配設されている。また、ＣＣＤ１８の上面部には、外光を受光するための受光面１８ｂが設けられている。
【００４２】
次に、図５及び図６を参照して、ＣＣＤ１８が装着される電気基板の取り付けについて説明する。
【００４３】
図５はＣＣＤ１８が装着される電気基板２０がボス２２に取り付けられる際の分解斜視図であり、図６は取り付けられた状態を示した図である。尚、ここでは説明を簡略化するために、図５及び図６に於いては、ネジ３ａ、ＣＣＤ１８、電気基板２０及びボス２２のみ示し、他の構成部材は省略する。
【００４４】
ＣＣＤ１８のリード１８ａが電気基板２０の挿入孔２０ｃに挿入されると、半田付けにより電気基板２０に固定されると共に電気的に接続される。このＣＣＤ１８が電気基板２０に固定された状態で、締結部材であるネジ３ａにより長穴３ａ及び切り欠き３ｂを介して該電気基板２０がボス２２に固定される。
【００４５】
このとき、ＣＣＤ１８は、図１に示されるように、予め撮像素子支持板１９を通じて前板ユニット１０に固定されている。そのため、従来は、ＣＣＤ１８が装着された電気基板２０のネジ穴が、ボスの形成されている位置からずれてしまうことがあった。すると、ネジ穴を合わせるために、ＣＣＤのリードにストレスがかかることがあった。
【００４６】
この発明では、こうしたＣＣＤのリードにかかるストレスを防止するため、電気基板及びボスの形状を長穴形状にして、図６に於いて、電気基板がＸ方向及びＹ方向に移動自在に取り付けられるようにしている。本実施形態に於いては、ボス２２がＸ方向を長手方向とした長穴形状とし、電気基板２０の開口部２０ａ及び切り欠き２０ｂがＹ方向を長手方向とした長穴形状として、設けられている。
【００４７】
これにより、ＣＣＤ１８のリード１８ａのＸ方向のズレはボス２２により、またＹ方向のズレは開口部２０ａ及び切り欠き２０ｂにより、調整することができる。つまり、ボス２２と、開口部２０ａ及び切り欠き２０ｂ、更にネジ３ａにより、調整手段が構成されている。
【００４８】
尚、この第１の実施形態では、ボス２２がＸ方向を長手方向とした長穴形状とし、電気基板２０の開口部２０ａ及び切り欠き２０ｂがＹ方向を長手方向とした長穴形状としたが、これに限られるものではない。すなわち、ボス２２がＹ方向を長手方向とした長穴形状とし、電気基板２０の開口部２０ａ及び切り欠き２０ｂがＸ方向を長手方向とした長穴形状として設けられるものであっても良い。
【００４９】
また、ボス２２の長手方向と、開口部２０ａ及び切り欠き２０ｂの長手方向は、必ずしも直交する方向とは限られず、一方がＣＣＤのリードのピンの配列方向と直交する方向であれば、他方は該一方の方向と交差する方向であれば良い。
【００５０】
尚、電気基板２０のみに二方向の長穴を設けないのは、それによって電気部品の実装位置に制約が増えるからである。
【００５１】
このように、第１の実施形態によれば、撮像素子（ＣＣＤ）のリードに対してストレスが生じることなく、撮像素子を本体ユニットに固定すると共に電気基板に固定することができる。
【００５２】
図７は、この第１の実施形態の第１の変形例によるボスの形状を示した図であり、（ａ）は上面図、（ｂ）は側断面図、（ｃ）は外観斜視図である。
【００５３】
図７に於いて、ボス２３は前板ユニット１０の腕部の先端部分に形成されるものであり、図１に於けるネジ孔１０ｃに相当する。この場合、図１に於いて、符号Ｂ１、Ｂ２、Ｂ３で示される腕部の先端部分に、ボス２３が形成されているものとする。
【００５４】
ボス２３は、例えばダイキャストやモールドにより構成されるもので、ネジの直径に対応した間隙２３ｂを有して２つの直線状の壁部２３ａ、２３ａから構成されている。そして、本変形例に於いても、このボス２３は、セルフタップネジによりネジ立てされるように構成されている。
【００５５】
図８は、この第１の実施形態の第２の変形例によるボスの形状を示した図であり、（ａ）はボスが形成される前板ユニットの腕部の先端部分を示した外観斜視図、（ｂ）は（ａ）のＹ−Ｙ線に沿った側断面図、（ｃ）は（ａ）のＸ−Ｘ線に沿った断面図、（ｄ）は（ａ）の上面側から見た外観図である。
【００５６】
図８に於いて、ボスは前板ユニット１０の腕部３０の先端部分に形成されるものであり、ネジ孔となる箇所にネジ用開口３０ａが形成されている。また、この腕部３０の上面側には、後述するネジ螺合すじ３０ｄを作成するための開口３０ｂが形成されている。更に、上記腕部３０の下面側で上記開口３０ｂよりも先端部より遠い側には、開口３０ｃが形成されている。
【００５７】
そして、図８（ｂ）に示されるように、上記ネジ用開口部３０ａより、電気基板２０を腕部３０に固定するためのネジ３１が挿入される。このとき、このネジ３１と螺合するべくネジ螺合すじ３０ｄが、ネジ用開口３０ａ内の上記開口３０ｂと対向する部分に設けられている。このネジ螺合すじ３０ｄは、腕部３０の成形時に開口３０ｂより治具が挿入されて型が成形されるようになっている。
【００５８】
このように構成することにより、セルフタップネジを用いなくとも、上述した第１の実施形態と同様の効果を得ることができる。
【００５９】
（第２の実施形態）
次に、この発明の第２の実施形態について説明する。
【００６０】
図９は、この発明の第２実施形態に係る撮像装置が適用されたデジタルカメラの撮像ユニットを分解して示す要部分解斜視図である。
【００６１】
尚、以下に述べる第２の実施形態に於いては、電気基板の構造のみ上述した第１の実施形態と異なり、その他の構成は上述した第１の実施形態と同じであるので、図１乃至図７と同一の部分には同一の参照番号を付して、その図示及び説明は省略し、異なる構成及び動作についてのみ説明する。
【００６２】
図９に示されるように、電気基板２５には、開口部２５ａと、切り欠き２０ｂ、２０ｄと、撮像素子１８のリード（ピン）に対応した長穴形状の挿入孔（長孔）２５ｃが形成されている。この電気基板２５は、上記挿入孔２５ｃより撮像素子１８のリード（ピン）が延出されながら、背面側から挿入される。そして、電気基板２５の背面側より、開口部２５ａ及び切り欠き２５ｂを介して挿入されたネジ３ａが、前板ユニット１０のネジ孔１０ｃ及び前板ユニット１０の腕部に螺合される。
【００６３】
図１０は、ＣＣＤ１８が装着される電気基板２５がボス２２に取り付けられた状態を示した図である。尚、ここでは説明を簡略化するために、図１０に於いては、ネジ３ａ、ＣＣＤ１８、電気基板２５及びボス２２のみ示し、他の構成部材は省略する。
【００６４】
この第２の実施形態に於いては、図示されないネジ孔と対応するの２つの開口部２０ａと、切り欠き２０ｂが、電気基板２５の所定箇所に形成されている。更に、この電気基板２５には、例えばその中央部分に、上述したＣＣＤ１８のリード１８ａ挿入されるべく、図１１に示されるように、複数の長穴形状の挿入孔（長孔）２５ｃが並設されている。また、電気基板２５には、位置合わせ用の切り欠き２５ｄと、図示されない他の部品との干渉を防止するための逃げ穴２５ｅが形成されている。
【００６５】
そして、第２の実施形態では、ＣＣＤ１８のリード１８ａにかかるストレスを防止するため、電気基板２５の挿入孔２５及びボス２２の形状を長穴形状にして、図１０に於いて、電気基板２５がＸ方向及びＹ方向に移動自在に取り付けられるようにしている。本実施形態に於いては、ボス２２がＸ方向を長手方向とした長穴形状とし、電気基板２５の挿入孔２５ａ及び切り欠き２５ｂがＹ方向を長手方向とした長穴形状として、設けられている。
【００６６】
これにより、ＣＣＤ１８のリード１８ａのＸ方向のズレはボス２２により、またＹ方向のズレは挿入孔２５ａ及び切り欠き２０ｂにより、調整することができる。
【００６７】
尚、この第２の実施形態では、ボス２２がＸ方向を長手方向とした長穴形状とし、電気基板２５の挿入孔２５ａ及び切り欠き２５ｂがＹ方向を長手方向とした長穴形状としたが、これに限られるものではない。すなわち、電気基板２５の挿入孔２５ａ及び切り欠き２５ｂがＹ方向を長手方向とした長穴形状として設けられれば、ボス２２の長手方向は、Ｙ方向と交差する方向に設けられるものであれば良い。
【００６８】
このように、第２の実施形態のように構成しても、上述した第１の実施形態と同様の効果を得ることができる。
【００６９】
（第３の実施形態）
次に、この発明の第３の実施形態について説明する。
【００７０】
上述した第１の実施形態では、基板側に形成された長穴形状の開口部及び切欠きは、同一方向に形成されたものとして説明したが、これに限られるものではない。すなわち、上記長穴形状の開口部及び切欠きは、同一方向に揃える必要はない。
【００７１】
図１２は、ＣＣＤ１８が装着される電気基板２０がボス２２及び２２ｂに取り付けられる際の分解斜視図である。尚、ここでは説明を簡略化するために、図１２に於いては、ネジ３ａ、ＣＣＤ１８、開口部、切り欠きを含む電気基板２０及びボス２２及び２２ｂのみ示し、他の構成部材は省略する。
【００７２】
本実施形態に於いては、ボス２２がＸ方向を長手方向とした長穴形状とし、ボス２２ｂがＹ方向を長手方向とした長穴形状として、設けられている。そして、これらに対応して、電気基板２０の開口部２０ａ及び切り欠き２０ｂがＹ方向を長手方向とした長穴形状とし、開口部２０ｆがＸ方向を長手方向とした長穴形状として、設けられている。
【００７３】
このように、電気基板に形成される長穴形状の開口部等は、Ｘ方向とＹ方向とに長手方向が混在した状態であっても良い。但し、本実施の形態のように、電気基板側の長穴形状がＸ方向を長手方向とする場合は受け側であるボスの長穴形状がＹ方向を長手方向とし、電気基板側の長穴形状がＹ方向を長手方向とする場合は受け側であるボスの長穴形状がＸ方向を長手方向とするようにする。
【００７４】
これによっても、電気基板２０は該基板の平面上の任意の方向に調整移動可能となる。また、カメラのスペースによっては、長穴形状の方向を自由に選択することができる。
【００７５】
尚、上述した実施形態に於いては、ボスとネジとの嵌合については、セルフタップネジによるもの、ボス内の一方の側にネジ螺合すじを設けてネジ山を有したネジを使用するものを例として説明したが、この発明はこれらに限られるものではない。
【００７６】
例えば、リベットを使用してこれをボス内に打ち込むようにしても良い。
【００７７】
以上、この発明の実施形態について説明したが、この発明の主旨を逸脱しない範囲で変形可能であることはもちろんである。
【図面の簡単な説明】
【００７８】
【図１】この発明の第１実施形態に係る撮像装置が適用されたデジタルカメラの撮像ユニットを分解して示す要部分解斜視図である。
【図２】図１の電気基板２０を背面側から見た図である。
【図３】撮像素子支持板１９及び電気基板２０をネジ３ａによって固定するべくボスの構造を示すもので、（ａ）は上面図、（ｂ）は側断面図、（ｃ）は外観斜視図である。
【図４】撮像素子（ＣＣＤ）１８の構造を示したもので、（ａ）は上面側から見た外観斜視図、（ｂ）は下面側から見た外観斜視図である。
【図５】ＣＣＤ１８が装着される電気基板２０がボス２２に取り付けられる際の分解斜視図である。
【図６】ＣＣＤ１８が装着される電気基板２０がボス２２に取り付けられた状態を示した図である。
【図７】この発明の第１の実施形態の第１の変形例によるボスの形状を示した図であり、（ａ）は上面図、（ｂ）は側断面図、（ｃ）は外観斜視図である。
【図８】この発明の第１の実施形態の第２の変形例によるボスの形状を示した図であり、（ａ）はボスが形成される前板ユニットの腕部の先端部分を示した外観斜視図、（ｂ）は（ａ）のＹ−Ｙ線に沿った側断面図、（ｃ）は（ａ）のＸ−Ｘ線に沿った断面図、（ｄ）は（ａ）の上面側から見た外観図である。
【図９】この発明の第２実施形態に係る撮像装置が適用されたデジタルカメラの撮像ユニットを分解して示す要部分解斜視図である。
【図１０】ＣＣＤ１８が装着される電気基板２５がボス２２に取り付けられた状態を示した図である。
【図１１】図１０の電気基板２５の挿入孔２５ａを拡大して示した図である。
【図１２】この発明の第３の実施形態を示すもので、ＣＣＤ１８が装着される電気基板２０がボス２２及び２２ｂに取り付けられる際の分解斜視図である。
【符号の説明】
【００７９】
１ａ、２ａ、３ａ…ネジ、１０…前板ユニット１０、１０ａ…開口部、１１…ミラーユニット、１２…反射・測光ユニット、１３…ＡＦユニット、１４…シャッタ地板保護シート、１５…シャッタユニット、１７…防塵ユニット、１８…撮像素子（ＣＣＤ）、１８ａ…リード（ピン）、１８ｂ…受光面、１９…撮像素子支持板、１９ａ、１９ｂ…開口部、２０…電気基板、２０ａ…開口部、２０ｂ、２０ｄ…切り欠き、２０ｃ…挿入孔、２０ｅ…逃げ穴、２２…ボス、２２ａ…長穴。
【図１】
2005175924.tif 000003
【図２】
2005175924.tif 000004
【図３】
2005175924.tif 000005
【図４】
2005175924.tif 000006
【図５】
2005175924.tif 000007
【図６】
2005175924.tif 000008
【図７】
2005175924.tif 000009
【図８】
2005175924.tif 000010
【図９】
2005175924.tif 000011
【図１０】
2005175924.tif 000012
【図１１】
2005175924.tif 000013
【図１２】
2005175924.tif 000014